【手続補正書】
【提出日】平成17年6月17日(2005.6.17)
【手続補正１】
【補正対象書類名】明細書
【補正対象項目名】発明の名称
【補正方法】変更
【補正の内容】
【発明の名称】情報記録および／または再生装置と光学ヘッド
【手続補正２】
【補正対象書類名】明細書
【補正対象項目名】特許請求の範囲
【補正方法】変更
【補正の内容】
【特許請求の範囲】
【請求項１】
レーザ光を出射するレーザ光源と、このレーザ光が入射される対物レンズとソリッドイマージョンレンズから構成される２群レンズとを有し、前記レーザ光を前記２群レンズにより光記録媒体上に集光することにより情報信号を記録および／または再生する情報記録および／または再生装置であって、
前記レーザ光の波長が２２０〜２８０ｎｍであり、
前記２群レンズの開口数が１以上であり、
前記ソリッドイマージョンレンズはダイヤモンドを材料として形成されていることを特徴とする情報記録および／または再生装置。
【請求項２】
前記ソリッドイマージョンレンズが超半球形状であることを特徴とする請求項１記載の情報記録および／または再生装置。
【請求項３】
前記レーザ光源がダイヤモンドを発光材料とする半導体レーザであることを特徴とする請求項１記載の情報記録および／または再生装置。
【請求項４】
前記レーザ光源がＹＡＧレーザの４倍高調波であることを特徴とする請求項１記載の情報記録および／または再生装置。
【請求項５】
レーザ光を出射するレーザ光源と、このレーザ光が入射される対物レンズとソリッドイマージョンレンズから構成される２群レンズとを有し、前記レーザ光を前記２群レンズにより光記録媒体上に集光することにより情報信号を記録および／または再生する情報記録および／または再生装置であって、
前記レーザ光の波長が２２０〜２８０ｎｍであり、
前記２群レンズの開口数が１以上であり、
前記ソリッドイマージョンレンズは酸化ハフニウムを材料として形成されていることを特徴とする情報記録および／または再生装置。
【請求項６】
前記ソリッドイマージョンレンズが超半球形状であることを特徴とする請求項５記載の情報記録および／または再生装置。
【請求項７】
前記レーザ光源がダイヤモンドを発光材料とする半導体レーザであることを特徴とする請求項５記載の情報記録および／または再生装置。
【請求項８】
前記レーザ光源がＹＡＧレーザの４倍高調波であることを特徴とする請求項５記載の情報記録および／または再生装置。
【請求項９】
レーザ光を出射するレーザ光源と、このレーザ光が入射される対物レンズとソリッドイマージョンレンズから構成される２群レンズとを有し、前記レーザ光を前記２群レンズにより光記録媒体上に集光する光学ヘッドであって、
前記レーザ光の波長が２２０〜２８０ｎｍであり、
前記２群レンズの開口数が１以上であり、
前記ソリッドイマージョンレンズはダイヤモンドを材料として形成されていることを特徴とする光学ヘッド。
【請求項１０】
レーザ光を出射するレーザ光源と、このレーザ光が入射される対物レンズとソリッドイマージョンレンズから構成される２群レンズとを有し、前記レーザ光を前記２群レンズにより光記録媒体上に集光する光学ヘッドであって、
前記レーザ光の波長が２２０〜２８０ｎｍであり、
前記２群レンズの開口数が１以上であり、
前記ソリッドイマージョンレンズは酸化ハフニウムを材料として形成されていることを特徴とする光学ヘッド。
【手続補正３】
【補正対象書類名】明細書
【補正対象項目名】０００１
【補正方法】変更
【補正の内容】
【０００１】
【発明の属する技術分野】
本発明は、レーザ光を２群レンズにより光記録媒体上に集光することにより情報信号を記録および／または再生する情報記録および／または再生装置と光学ヘッドに関する。
【手続補正４】
【補正対象書類名】明細書
【補正対象項目名】０００９
【補正方法】変更
【補正の内容】
【０００９】
【課題を解決するための手段】
本発明による情報記録および／または再生装置は、レーザ光を出射するレーザ光源と、このレーザ光が入射される対物レンズとソリッドイマージョンレンズから構成される２群レンズとを有し、レーザ光を２群レンズにより光記録媒体上に集光することにより情報信号を記録および／または再生する情報記録および／または再生装置であって、レーザ光の波長が２２０〜２８０ｎｍであり、２群レンズの開口数が１以上であり、ソリッドイマージョンレンズはダイヤモンドを材料として形成されているものである。
また、本発明による光学ヘッドは、レーザ光を出射するレーザ光源と、このレーザ光が入射される対物レンズとソリッドイマージョンレンズから構成される２群レンズとを有し、レーザ光を２群レンズにより光記録媒体上に集光する光学ヘッドであって、レーザ光の波長が２２０〜２８０ｎｍであり、２群レンズの開口数が１以上であり、ソリッドイマージョンレンズはダイヤモンドを材料として形成されているものである。
【手続補正５】
【補正対象書類名】明細書
【補正対象項目名】００１０
【補正方法】変更
【補正の内容】
【００１０】
本発明による情報記録および／または再生装置と光学ヘッドでは、レーザ光源から出射されるレーザ光の波長が２２０〜２８０ｎｍと短波長化されており、また、高屈折率のダイヤモンドを材料として形成されたソリッドイマージョンレンズにより２群レンズを構成して開口数が１以上の近接場光を利用する光学系であるようにしたので、光記録媒体上に集光されるレーザ光のスポット径を小さくすることができる。
【手続補正６】
【補正対象書類名】明細書
【補正対象項目名】００１１
【補正方法】変更
【補正の内容】
【００１１】
また、本発明による情報記録および／または再生装置は、レーザ光を出射するレーザ光源と、このレーザ光が入射される対物レンズとソリッドイマージョンレンズから構成される２群レンズとを有し、レーザ光を２群レンズにより光記録媒体上に集光することにより情報信号を記録および／または再生する情報記録および／または再生装置であって、レーザ光の波長が２２０〜２８０ｎｍであり、２群レンズの開口数が１以上であり、ソリッドイマージョンレンズは酸化ハフニウムを材料として形成されているものである。
更に、本発明による光学ヘッドは、レーザ光を出射するレーザ光源と、このレーザ光が入射される対物レンズとソリッドイマージョンレンズから構成される２群レンズとを有し、前記レーザ光を前記２群レンズにより光記録媒体上に集光する光学ヘッドであって、レーザ光の波長が２２０〜２８０ｎｍであり、２群レンズの開口数が１以上であり、ソリッドイマージョンレンズは酸化ハフニウムを材料として形成されているものである。
【手続補正７】
【補正対象書類名】明細書
【補正対象項目名】００１２
【補正方法】変更
【補正の内容】
【００１２】
本発明による情報記録および／または再生装置と光学ヘッドでは、レーザ光源から出射されるレーザ光の波長が２２０〜２８０ｎｍと短波長化されており、また、高屈折率の酸化ハフニウムを材料として形成されたソリッドイマージョンレンズにより２群レンズを構成して開口数が１以上の近接場光を利用する光学系であるようにしたので、光記録媒体上に集光されるレーザ光のスポット径を小さくすることができる。
【手続補正８】
【補正対象書類名】明細書
【補正対象項目名】００１３
【補正方法】変更
【補正の内容】
【００１３】
【発明の実施の形態】
以下、本発明の実施の形態について図面を参照して詳細に説明する。図１は本発明の一実施の形態である情報記録および／または再生装置（情報記録再生装置）と光学ヘッドが備える２群レンズである収束レンズの構成、図２は図１に示した収束レンズを備える光学ヘッドを含む情報記録および／または再生装置の概略構成を表したものである。